(57)【要約】【課題】襞を有する複合シートにおいて肌触りをより向上させる。【解決手段】複合シート(70)は、吸収性物品に用いられる複合シートであって、伸縮性部材(73)と、伸縮性部材と重なって配置され、繊維が溶着した第１溶着部(78)を有する第１シート(71)と、第１シートと伸縮性部材の間に配置され、繊維が溶着した第２溶着部(79)を有する第２シート(72)と、を備える。第１溶着部及び第２溶着部のそれぞれは、伸縮性部材の伸縮方向において間隔を空けて複数配置されている。第１溶着部の伸縮方向のピッチ(P78)は、第２溶着部の伸縮方向のピッチ(P79)と異なる。【選択図】図４
2020108422.tif 000002
【特許請求の範囲】
【請求項１】
吸収性物品に用いられる複合シートであって、
伸縮性部材と、
前記伸縮性部材と重なって配置され、繊維が溶着した第１溶着部を有する第１シートと、
前記第１シートと前記伸縮性部材の間に配置され、繊維が溶着した第２溶着部を有する第２シートと、を備え、
前記第１溶着部及び前記第２溶着部のそれぞれは、前記伸縮性部材の伸縮方向において間隔を空けて複数配置されており、
前記第１溶着部の前記伸縮方向のピッチは、前記第２溶着部の前記伸縮方向のピッチと異なる、複合シート。
【請求項２】
前記第１溶着部の前記ピッチは、前記第２溶着部の前記ピッチよりも長い、請求項１に記載の複合シート。
【請求項３】
前記第１溶着部のピッチは、前記第２溶着部のピッチよりも短い、請求項１に記載の複合シート。
【請求項４】
前後方向及び前記前後方向に直交する幅方向と、
前胴回り域と、
後胴回り域と、
前記前胴回り域と前記後胴回り域との間に配置された股下域と、
前記股下域、前記前胴回り域及び前記後胴回り域に跨がって配置された吸収性本体と、
前記前胴回り域において前記吸収性本体と厚み方向に重なる前ウエストベルトと、
前記後胴回り域において前記吸収性本体と厚み方向に重なる後ウエストベルトと、
前記前ウエストベルトの肌面側の表面及び前記後ウエストベルトの肌面側の表面に配置された複合シートと、を有する吸収性物品であって、
前記複合シートは、
少なくとも前記幅方向に伸縮する伸縮性部材と、
前記伸縮性部材の前記肌面側に配置され、繊維が溶着した第１溶着部を有する第１シートと、
前記第１シートと前記伸縮性部材の間に配置され、繊維が溶着した第２溶着部を有する第２シートと、を備え、
前記第１溶着部及び前記第２溶着部のそれぞれは、前記幅方向において間隔を空けて複数配置されており、
前記第１溶着部の前記幅方向のピッチは、前記第２溶着部の前記幅方向のピッチと異なる、吸収性物品。
【請求項５】
前記前ウエストベルトに配置された複合シート及び前記後ウエストベルトに配置された複合シートのうち一方の複合シートは、前記第１溶着部のピッチが前記第２溶着部のピッチよりも長く、
前記前ウエストベルトに配置された複合シート及び前記後ウエストベルトに配置された複合シートのうち他方の複合シートは、前記第１溶着部のピッチが前記第２溶着部のピッチよりも短い、請求項４に記載の吸収性物品。
【請求項６】
前記複合シートは、前記第１溶着部の前記ピッチが前記第２溶着部の前記ピッチよりも長い第１複合シートを有し、
前記第１複合シートは、前記前ウエストベルトに配置されている、請求項４又は請求項５に記載の吸収性物品。
【請求項７】
前記第１複合シートの前記伸縮性部材は、シート状である、請求項６に記載の吸収性物品。
【請求項８】
前記複合シートは、前記第１溶着部の前記ピッチが前記第２溶着部の前記ピッチよりも短い第２複合シートを有し、
前記第２複合シートは、前記後ウエストベルトに配置されている、請求項４から請求項７のいずれか１項に記載の吸収性物品。
【請求項９】
前記第２複合シートの前記伸縮性部材は、糸状であって、前記幅方向に間隔を空けて複数配置されている、請求項８に記載の吸収性物品。
【請求項１０】
搬送方向に間隔を空けて第１シートに第１溶着部を形成する第１シート溶着工程と、
前記搬送方向に間隔を空けて第２シートに第２溶着部を形成する第２シート溶着工程と、
前記第１シート溶着工程及び前記第２シート溶着工程の後に、前記搬送方向に伸長させた伸縮性部材と前記第１シートとの間に前記第２シートに配置する積層工程と、を有し、
前記第２シート溶着工程は、前記第１溶着部の前記搬送方向のピッチと異なる前記搬送方向のピッチで前記第２溶着部を形成する、複合シートの製造方法。
【発明の詳細な説明】
【技術分野】
【０００１】
本発明は、吸収性物品等に用いられる複合シート及び複合シートを有する吸収性物品及び複合シートの製造方法に関する。
【背景技術】
【０００２】
特許文献１には、吸収性物品のウエストベルトを構成する複合シートが開示されている。特許文献１の複合シートは、内層シートと、内層シートと積層された外層シートと、内層シートと外層シートの間に配置された糸状の伸縮性部材と、内層シートと外層シートを接合した接合部と、を有している。伸縮性部材は、幅方向に延び、かつ前後方向に間隔を空けて複数配置されている。接合部は、幅方向及び前後方向に間隔を空けて複数配置されている。
【先行技術文献】
【特許文献】
【０００３】
【特許文献１】特開２０１５−１９２８６２号公報
【発明の概要】
【０００４】
特許文献１の複合シートの接合部は、熱溶着によって内層シートと外層シートを接合している。伸縮性部材が収縮することにより、隣り合う接合部間のシートが、それぞれ厚み方向に膨らむように変形して、隣接する接合部間にシートからなる襞が形成でされる。襞によって複合シートの肌触りが向上する。
【０００５】
しかし、近年、吸収性物品における肌触りに対する要求は、高まっている。よって、襞を有する複合シートにおいて肌触りをより向上させることを目的とする。
【課題を解決するための手段】
【０００６】
一態様に係る複合シートは、吸収性物品に用いられる複合シートであって、伸縮性部材と、前記伸縮性部材と重なって配置され、繊維が溶着した第１溶着部を有する第１シートと、前記第１シートと前記伸縮性部材の間に配置され、繊維が溶着した第２溶着部を有する第２シートと、を備え、前記第１溶着部及び前記第２溶着部のそれぞれは、前記伸縮性部材の伸縮方向において間隔を空けて複数配置されており、前記第１溶着部の前記伸縮方向のピッチは、前記第２溶着部の前記伸縮方向のピッチと異なる。
【０００７】
一態様に係る吸収性物品は、前後方向及び前記前後方向に直交する幅方向と、前胴回り域と、後胴回り域と、前記前胴回り域と前記後胴回り域との間に配置された股下域と、前記股下域、前記前胴回り域及び前記後胴回り域に跨がって配置された吸収性本体と、前記前胴回り域において前記吸収性本体と厚み方向に重なる前ウエストベルトと、前記後胴回り域において前記吸収性本体と厚み方向に重なる後ウエストベルトと、前記前ウエストベルトの肌面側の表面及び前記後ウエストベルトの肌面側の表面に配置された複合シートと、を有する吸収性物品であって、前記複合シートは、少なくとも前記幅方向に伸縮する前記伸縮性部材と、前記伸縮性部材の前記肌面側に配置され、繊維が溶着した第１溶着部を有する第１シートと、前記第１シートと前記伸縮性部材の間に配置され、繊維が溶着した第２溶着部を有する第２シートと、を備え、前記第１溶着部及び前記第２溶着部のそれぞれは、前記幅方向において間隔を空けて複数配置されており、前記第１溶着部の前記幅方向のピッチは、前記第２溶着部の前記幅方向のピッチと異なる。
【０００８】
一態様に係る複合シートの製造方法は、搬送方向に間隔を空けて第１シートに第１溶着部を形成する第１シート溶着工程と、前記搬送方向に間隔を空けて第２シートに第２溶着部を形成する第２シート溶着工程と、前記第１シート溶着工程及び前記第２シート溶着工程の後に、前記搬送方向に伸長させた伸縮性部材と前記第１シートとの間に前記第２シートに配置する積層工程と、を有し、前記第２シート溶着工程は、前記第１溶着部の前記搬送方向のピッチと異なる前記搬送方向のピッチで前記第２溶着部を形成する。
【図面の簡単な説明】
【０００９】
【図１】実施形態に係る吸収性物品の正面図である。
【図２】実施形態に係る吸収性物品の平面図である。
【図３】図２に示す吸収性物品のＡ−Ａ線に沿った断面図である。
【図４】複合シートとしての第１複合シートの模式断面図である。
【図５】第１複合シートの断面写真である。
【図６】複合シートとしての第２複合シートの模式断面図である。
【図７】第２複合シートの断面写真である。
【発明を実施するための形態】
【００１０】
（１）実施形態の概要
本明細書及び添付図面の記載により、少なくとも以下の事項が明らかとなる。
【００１１】
一態様に係る複合シートは、吸収性物品に用いられる複合シートであって、伸縮性部材と、前記伸縮性部材と重なって配置され、繊維が溶着した第１溶着部を有する第１シートと、前記第１シートと前記伸縮性部材の間に配置され、繊維が溶着した第２溶着部を有する第２シートと、を備え、前記第１溶着部及び前記第２溶着部のそれぞれは、前記伸縮性部材の伸縮方向において間隔を空けて複数配置されており、前記第１溶着部の前記伸縮方向のピッチは、前記第２溶着部の前記伸縮方向のピッチと異なる。
【００１２】
第１シートは、伸縮性部材の収縮によって第１溶着部間がそれぞれ厚み方向に膨らむように変形する。よって、第１シートには、隣接する第１溶着部間に襞が形成される。また、第２シートは、伸縮性部材の収縮によって第２溶着部間がそれぞれ厚み方向に膨らむように変形する。よって、第２シートには、隣接する第２溶着部間に襞が形成される。第１溶着部のピッチと第２溶着部のピッチが異なるため、第１溶着部が第２溶着部が収縮方向にずれて配置される。そのため、第１溶着部と第２溶着部が全て重なっている形態と比較して、複合シートの溶着部による硬さを低減し、肌触りを向上できる。
【００１３】
好ましい一態様によれば、前記第１溶着部の前記ピッチは、前記第２溶着部の前記ピッチよりも長くてよい。
【００１４】
本態様によれば、第２溶着部のピッチが短く、第２溶着部間の領域が多くなる。第２溶着部間の領域は、シートが引き延ばされて薄くなっており、剛性が低い部分となる。一方、第１溶着部のピッチが長く、第１シートにおける第１溶着部間の領域が少ない。第１シートは、第２シートと比較して、剛性が低い領域が少なく、全体として剛性が高くなる。全体の剛性が低い第２シートが伸縮性部材の近くに配置されており、第２シートには、細かい襞が形成されやすい。また、第１シートが第２シートよりも伸縮性部材から離れ、かつ第１溶着部のピッチが比較的長いため、第１シートは、第２シートの細かい襞に沿いにくく、第１シートには、比較的大きい襞が第２シートから厚み方向に膨らむように形成される。第１シートと第２シートの間に空間が形成され、複合シートのクッション性が高まり、肌触りを向上できる。
【００１５】
他の態様によれば、前記第１溶着部のピッチは、前記第２溶着部のピッチよりも短くてよい。
【００１６】
本態様によれば、第２シートは、第１シートと伸縮性部材によって挟まれているため、第１シートの小さい襞に追従し易くなる。そのため、第２シートには、第２溶着部による大きな襞のみならず、第１溶着部による小さい襞に追従する襞が形成され易い。その結果、複合シートの襞が均一になりやすく、襞が局所的に肌にあたることを抑制し、肌触りを向上できる。また、第１溶着部のピッチが短いため、第１溶着部間の領域が多くなる。第１溶着部間の領域は、シートが引き延ばされて薄くなっており、剛性が低い部分となる。一方、第２溶着部のピッチが長く、第２溶着部間の領域が少ない。第１シートは、第２シートと比較して、剛性が低い領域が多く、全体として剛性が低くなる。剛性が比較的低い第１シートが第２シートに沿い易く、複合シートの襞が均一になり易い。
【００１７】
一態様に係る吸収性物品は、前後方向及び前記前後方向に直交する幅方向と、前胴回り域と、後胴回り域と、前記前胴回り域と前記後胴回り域との間に配置された股下域と、前記股下域、前記前胴回り域及び前記後胴回り域に跨がって配置された吸収性本体と、前記前胴回り域において前記吸収性本体と厚み方向に重なる前ウエストベルトと、前記後胴回り域において前記吸収性本体と厚み方向に重なる後ウエストベルトと、前記前ウエストベルトの肌面側の表面及び前記後ウエストベルトの肌面側の表面に配置された複合シートと、を有する吸収性物品であって、前記複合シートは、少なくとも前記幅方向に伸縮する前記伸縮性部材と、前記伸縮性部材の前記肌面側に配置され、繊維が溶着した第１溶着部を有する第１シートと、前記第１シートと前記伸縮性部材の間に配置され、繊維が溶着した第２溶着部を有する第２シートと、を備え、前記第１溶着部及び前記第２溶着部のそれぞれは、前記幅方向において間隔を空けて複数配置されており、前記第１溶着部の前記幅方向のピッチは、前記第２溶着部の前記幅方向のピッチと異なる。
【００１８】
本態様によれば、ウエストベルトの肌に触れる面に襞が形成され、腰周りに対する肌触りを向上できる。また、伸縮性部材が幅方向に伸縮し、かつ第１溶着部及び第２溶着部のそれぞれが幅方向において間隔を空けて複数配置されているため、複合シートには、前後方向に延びる襞が形成される。ウエストベルトの襞によってウエストベルトの前後方向のたくれを抑制できる。たくれによって肌への当たりが局所的に高くなることを抑制し、肌触りを向上できる。また、伸縮性部材よりも肌面側に、第１シート及び第２シートの少なくとも２層が配置されるため、伸縮性部材による肌への当たりを抑制し、伸縮性部材の跡や襞の跡が肌に付くことを抑制できる。
【００１９】
好ましい一態様によれば、前記前ウエストベルトに配置された複合シート及び前記後ウエストベルトに配置された複合シートのうち一方の複合シートは、前記第１溶着部のピッチが前記第２溶着部のピッチよりも長く、前記前ウエストベルトに配置された複合シート及び前記後ウエストベルトに配置された複合シートのうち他方の複合シートは、前記第１溶着部のピッチが前記第２溶着部のピッチよりも短くてよい。
【００２０】
本態様によれば、前ウエストベルトにおける襞と後ウエストベルトの襞とを異ならせ、腹部及び背部のそれぞれに対して適切にウエストベルトを当てて、肌触りを向上できる。
【００２１】
好ましい一態様によれば、前記複合シートは、前記第１溶着部の前記ピッチが前記第２溶着部の前記ピッチよりも長い第１複合シートを有し、前記第１複合シートは、前記前ウエストベルトに配置されてよい。
【００２２】
一般的に、腹部は、背部よりも皮膚が柔らかく、襞による跡が付きやすい。しかし、第１複合シートのクッション性が高いため、肌への当たりを和らげ、襞による跡がつくことを抑制できる。
【００２３】
好ましい一態様によれば、前記第１複合シートの前記伸縮性部材は、シート状であってよい。
【００２４】
本態様によれば、シート状の伸縮性部材によって第１シート及び第２シートを面で収縮させることができる。よって、第２溶着部による襞と第１溶着部による襞がそれぞれ形成されやすくなり、第２シートに対して第１シートが浮き上がりやすくなり、クッション性がより高くなり易い。
【００２５】
好ましい一態様によれば、前記複合シートは、前記第１溶着部の前記ピッチが前記第２溶着部の前記ピッチよりも短い第２複合シートを有し、前記第２複合シートは、前記後ウエストベルトに配置されてよい。
【００２６】
背部は、寝た姿勢等において体圧を受けやすい。第２複合シートの襞が均一になりやすいため、体圧を受けた際に均一な襞によって力を分散するとともに、襞が局所的に肌にあたることを抑制し、肌触りを向上できる。
【００２７】
好ましい一態様によれば、前記第２複合シートの前記伸縮性部材は、糸状であって、前記幅方向に間隔を空けて複数配置されてよい。
【００２８】
本態様によれば、糸状の伸縮性部材によって第１シート及び第２シートを点で収縮させることができる。第１シートと第２シートが共に局所的に収縮することで複合シートの襞がより均一になりやすい。
【００２９】
一態様に係る複合シートの製造方法は、搬送方向に間隔を空けて第１シートに第１溶着部を形成する第１シート溶着工程と、前記搬送方向に間隔を空けて第２シートに第２溶着部を形成する第２シート溶着工程と、前記第１シート溶着工程及び前記第２シート溶着工程の後に、前記搬送方向に伸長させた伸縮性部材と前記第１シートとの間に前記第２シートに配置する積層工程と、を有し、前記第２シート溶着工程は、前記第１溶着部の前記搬送方向のピッチと異なる前記搬送方向のピッチで前記第２溶着部を形成する。
【００３０】
本態様によれば、第１シートの第１溶着部と、第２シートの第２溶着部と、をそれぞれ形成した後に、第１シート、第２シート及び伸縮性部材を積層しているため、第１溶着部のピッチと第２溶着部のピッチを異ならせることができる。第１溶着部のピッチと第２溶着部のピッチが異なるため、第１溶着部が第２溶着部が収縮方向にずれて配置される。そのため、第１溶着部と第２溶着部が全て重なっている形態と比較して、肌触りが向上された複合シートを得ることができる。
【００３１】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３２】
吸収性物品は、テープ型であってもよいし、パンツ型であってもよい。吸収性物品は、使い捨ておむつであってもよいし、ショーツ型の生理用ナプキンであってよい。実施形態の吸収性物品は、パンツ型の使い捨ておむつである。図１は、本実施形態に係る吸収性物品１０の模式正面図である。図２は、本実施形態に係る使い捨ておむつ１０の模式平面図である。図３は、図２に示すＡ−Ａ線に沿った断面図である。図２及び図３では、後述するサイド接合部６０を展開した状態において吸収性物品１０を襞が形成されない状態まで伸長させた伸長状態を示している。また、図３に示す断面図では、説明の便宜上、各部材を厚み方向Ｔにおいて離間して示しているが、実際の製品においては厚み方向Ｔに接している。
【００３３】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方の直交する厚み方向を有する。
【００３４】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。股下域Ｓ３は、後述する脚回り開口部６６（図１参照）が形成された領域である。前胴回り域Ｓ１の股下域側の境界は、脚回り開口部６６の前端縁であり、後胴回り域Ｓ２の股下域側の境界は、脚回り開口部６６の後端縁である。
【００３５】
吸収性物品１０は、吸収性本体４０と、ウエストベルト１５と、を有していてよい。ウエストベルト１５は、吸収性本体４０と厚み方向に重なっている。ウエストベルト１５は、前ウエストベルト２０と、後ウエストベルト３０と、を有してよい。前ウエストベルト２０は、前胴回り域Ｓ１において、吸収性本体４０と重なる領域と、吸収性本体４０と重ならない領域と、に配置されている。後ウエストベルト３０は、前ウエストベルト２０と前後方向Ｌに離間している。後ウエストベルト３０は、後胴回り域Ｓ２において、吸収性本体４０と重なる領域と、吸収性本体４０と重ならない領域と、に配置されている。なお、他の実施形態において、ウエストベルト１５は、前ウエストベルト２０及び後ウエストベルト３０が一体化され、かつ前胴回り域Ｓ１から後胴回り域Ｓ２に亘って設けられていてもよい。
【００３６】
図３に示すように、前ウエストベルト２０は、吸収性本体４０の肌面側Ｔ１に配置された前カバーシート２７と、吸収性本体４０の非肌面側Ｔ２に配置された前第１外装シート２５と、前第１外装シート２５の非肌面側Ｔ２に位置する前第２外装シート２６と、前第１外装シート２５と前第２外装シート２６の間に配置された外装伸縮シート２８と、を有してよい。吸収性本体４０と重ならない領域では、前カバーシート２７、前第１外装シート２５、外装伸縮シート２８及び前第２外装シート２６が肌面側Ｔ１から非肌面側Ｔ２に向かって順に積層され、互いに接合されている。なお、前カバーシート２７、前第１外装シート２５及び前第２外装シート２６は、別々のシートによって構成されていてもよいし、折り返された同一のシートによって構成されていてもよい。
【００３７】
前カバーシート２７、前第１外装シート２５及び外装伸縮シート２８は、本発明の第１複合シート７０Ａ（複合シート７０）を構成してよい。前カバーシート２７は、本発明の第１複合シート７０Ａにおける第１シート７１を構成し、前第１外装シート２５は、本発明の第１複合シート７０Ａにおける第２シート７２を構成し、外装伸縮シート２８は、本発明の第１複合シート７０Ａにおける伸縮性部材７３を構成してよい。なお、複合シート７０については、後述にて詳細に説明する。
【００３８】
図３に示すように、後ウエストベルト３０は、吸収性本体４０の肌面側Ｔ１に配置された後カバーシート３７と、吸収性本体４０の非肌面側Ｔ２に配置された後第１外装シート３５と、後第１外装シート３５の非肌面側Ｔ２に位置する後第２外装シート３６と、後第１外装シート３５と後第２外装シート３６の間に配置された後側糸ゴム３８と、を有してよい。吸収性本体４０と重ならない領域では、後カバーシート３７、後第１外装シート３５、後側糸ゴム３８及び後第２外装シート３６が肌面側Ｔ１から非肌面側Ｔ２に向かって順に積層され、互いに接合されてよい。また、後第１外装シート３５の肌面側には、後第３外装シート３９が配置されてよい。後第３外装シート３９が配置された領域では、後カバーシート３７、後第３外装シート３９、後第１外装シート３５、後側糸ゴム３８及び後第２外装シート３６が肌面側Ｔ１から非肌面側Ｔ２に向かって順に積層され、互いに接合されてよい。なお、後カバーシート３７、後第１外装シート３５、後第２外装シート３６及び後第３外装シート３９は、別々のシートによって構成されていてもよいし、折り返された同一のシートによって構成されていてもよい。本実施の形態では、後第２外装シート３６及び後第３外装シート３９は、胴回り開口部６２において折り返された同一のシートによって構成されている。
【００３９】
後第１外装シート３５、後第３外装シート３９及び後側糸ゴム３８は、本発明の第２複合シート７０Ｂ（複合シート７０）を構成してよい。後第１外装シート３５は、本発明の第２複合シート７０Ｂにおける第２シート７２を構成し、後第３外装シート３９は、本発明の第２複合シート７０Ｂにおける第１シート７１を構成し、後側糸ゴム３８は、本発明の第２複合シート７０Ｂにおける伸縮性部材７３を構成してよい。
【００４０】
図１に示すように、前胴回り域Ｓ１の外側部と、後胴回り域Ｓ２の外側部と、を接合したサイド接合部６０が設けられていてよい。サイド接合部６０は、前胴回り域Ｓ１の外側部と、幅方向Ｗにおける後胴回り域Ｓ２の外側部と、を互いに係止した部分によって規定される。
【００４１】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００４２】
図１に示すように、サイド接合部６０が形成された状態で、吸収性物品１０には、着用者の胴が通される胴回り開口部６２と、着用者の脚がそれぞれ挿入される一対の脚回り開口部６６と、が形成される。胴回り開口部６２は、前胴回り域Ｓ１の前端縁Ｓ１Ｆと、後胴回り域Ｓ２の後端縁Ｓ２Ｒとによって規定されていてよい。
【００４３】
ここで、図２は、サイド接合部６０における接合を解除し、吸収性物品１０を展開した状態を示している。サイド接合部６０は、前ウエストベルト２０及び後ウエストベルト３０のそれぞれにおいて、前後方向Ｌに沿って延びていてよい。パンツ型の吸収性物品においては、前胴回り域Ｓ１と股下域Ｓ３との境界は、前ウエストベルト２０に設けられたサイド接合部６０の後端縁によって規定されていてよい。同様に、後胴回り域Ｓ２と股下域Ｓ３との境界は、後ウエストベルト３０に設けられたサイド接合部６０の前端縁によって規定されていてよい。
【００４４】
図３に示すように、前胴回り域Ｓ１には、幅方向Ｗに伸縮可能な伸縮性部材が配置されてよい。伸縮性部材は、幅方向Ｗに伸縮可能な前側糸ゴム２２、及び幅方向Ｗに伸縮可能な外装伸縮シート２８の少なくともいずれかによって構成されていてよい。この代わりに、伸縮性部材は、例えば伸縮可能なシートにより構成された前ウエストベルト２０自体によって構成されていてもよい。
【００４５】
後胴回り域Ｓ２には、幅方向Ｗに伸縮可能な伸縮性部材が配置されてよい。伸縮性部材は、幅方向Ｗに伸縮可能な後側糸ゴム３８、及び幅方向Ｗに伸縮可能な外装伸縮シートの少なくともいずれかによって構成されていてよい。この代わりに、伸縮性部材は、例えば伸縮可能なシートにより構成された後ウエストベルト３０自体によって構成されていてもよい。
【００４６】
吸収性本体４０は、前ウエストベルト２０と後ウエストベルト３０とに跨って配置されている。すなわち、吸収性本体４０は、前胴回り域Ｓ１、後胴回り域Ｓ２及び股下域Ｓ３にわたって延びている。吸収性本体４０は、前ウエストベルト２０及び後ウエストベルト３０とは別体として構成されていてよい。この場合、吸収性本体４０は、前胴回り域Ｓ１及び後胴回り域Ｓ２において、それぞれ前ウエストベルト２０及び後ウエストベルト３０と接合されていてよい。
【００４７】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、前後方向Ｌにおいて、前胴回り域Ｓ１から後胴回り域Ｓ２にわたって延びていてよい。吸収コア５０は、コアラップによって覆われていてよい。さらに、図３に示すように、吸収性本体４０は、吸収コアの肌面側に配置された肌面シート４２Ａと、吸収コア５０の非肌面側に配置された液不透過シート４１と、液不透過シート４１よりも非肌面側Ｔ２に配置された本体シート４２Ｂと、を有していてよい。
【００４８】
（３）複合シートの構成
次いで、図４から図７に基づいて、複合シート７０の構成について詳細に説明する。複合シートは、吸収性物品に用いられるシートである。図４は、複合シート７０としての第１複合シート７０Ａの模式断面図であり、図４（ａ）は、伸長状態であり、図４（ｂ）は、伸縮性部材が収縮した収縮状態を示している。また、図５は、第１複合シート７０Ａの断面写真である。図６は、複合シート７０としての第２複合シート７０Ｂの模式断面図であり、図６（ａ）伸長状態であり、図６（ｂ）は、伸縮性部材が収縮した収縮状態を示している。なお、説明の便宜上、図６においては、積層体７６からなる後第１外装シート３５を１層にて図示する。また、図４及び図６は、複合シートを模式的に示した図であり、溶着部の形状等、複合シート全体の形状は、当該図面に限定されない。また、図７は、第２複合シート７０Ｂの断面写真である。図４及び図５では、第１複合シート７０Ａのみを示しており、前ウエストベルト２０を構成する部材のうち、前第２外装シート２６及び前側糸ゴム２２を省略している。また、図６及び図７では、第２複合シート７０Ｂのみを示しており、後ウエストベルト３０を構成する部材のうち、後第２外装シート３６及び後カバーシート３７を省略している。なお、以下の説明においては、前ウエストベルト２０に第１複合シート７０Ａが配置され、後ウエストベルト３０に第２複合シート７０Ｂが配置された構成を説明するが、変形例において、前ウエストベルト２０に第２複合シート７０Ｂが配置されていてもよいし、後ウエストベルト３０に第１複合シート７０Ａが配置されていてもよい。
【００４９】
複合シート７０は、伸縮性部材７３と、伸縮性部材７３と重なって配置され、繊維が熱溶着された第１溶着部７８を有する第１シート７１と、第１シート７１と伸縮性部材７３の間に配置され、繊維が熱溶着された第２溶着部７９を有する第２シート７２と、を備える。第１シート７１及び第２シート７２は、繊維を有していればよく、例えば、不織布によって構成される。第１シート７１及び第２シート７２は、１層以上であればよく、後第１外装シート３５のように積層体７６であってもよい。
【００５０】
第１溶着部７８は、第１シート７１を構成するシートの繊維が溶着している。第１溶着部７８は、第１シート７１に形成された溶着部であって、第２シート７２には形成されていない。また、第２溶着部７９は、第２シート７２を構成するシートの繊維が溶着している。第２溶着部７９は、第２シート７２に形成された溶着部であって、第１シート７１には形成されていない。すなわち、第１溶着部７８と第２溶着部７９は、別々に設けられている。第１溶着部７８及び第２溶着部７９は、熱溶着、超音波溶着及びエンボス加工のいずれかによって形成されてよい。第１溶着部７８及び第２溶着部７９のそれぞれは、伸縮性部材７３の伸縮方向Ｄ１において間隔を空けて複数配置されている。第１溶着部７８の伸縮方向のピッチＰ７８は、第２溶着部７９の伸縮方向のピッチＰ７９と異なる。
【００５１】
図４（ｂ）及び図６（ｂ）に示すように、複合シート７０は、伸縮性部材７３の収縮によって第１シート７１と第２シート７２が伸縮方向Ｄ１に収縮する。このとき、第１シート７１は、伸縮性部材７３の収縮によって第１溶着部７８間がそれぞれ厚み方向Ｔに膨らむように変形する。第１シート７１には、隣接する第１溶着部７８間に襞が形成される。また、第２シート７２は、伸縮性部材７３の収縮によって第２溶着部７９間がそれぞれ厚み方向Ｔに膨らむように変形する。第２シート７２には、隣接する第２溶着部７９間に襞が形成される。第１溶着部７８のピッチＰ７８と第２溶着部７９のピッチＰ７９が異なるため、第１溶着部７８が第２溶着部７９が収縮方向にずれて配置される。そのため、第１溶着部７８と第２溶着部７９が全て重なっている形態と比較して、複合シート７０の溶着部による硬さを低減し、肌触りを向上できる。また、伸縮性部材７３よりも肌面側Ｔ１に、第１シート７１及び第２シート７２の少なくとも２層が配置されるため、伸縮性部材７３による肌への当たりを抑制し、伸縮性部材７３の跡や襞の跡が肌に付くことを抑制できる。
【００５２】
なお、第１溶着部７８の伸縮方向のピッチＰ７８と第２溶着部７９の伸縮方向のピッチＰ７９とが異なる構成は、複合シートの全体に亘って設けられていてもよいし、一部において設けられていてもよい。すなわち、第１溶着部７８のピッチと第２溶着部のピッチが複合シート７０の全体で一致する以外の構成を全て含む概念である。
【００５３】
図４及び図５に示すように、第１溶着部７８のピッチＰ７８は、第２溶着部７９のピッチＰ７９よりも長くてよい。第２溶着部７９のピッチＰ７９が短く、第２溶着部７９間の領域が多くなる。第２溶着部７９間の領域は、シートが引き延ばされて薄くなっており、剛性が低い部分となる。一方、第１溶着部７８のピッチＰ７８が長く、第１溶着部７８間の領域が少ない。第１シート７１は、第２シート７２と比較して、剛性が低い領域が少なく、全体として剛性が高くなる。全体の剛性が低い第２シート７２が伸縮性部材７３の近くに配置されており、第２シート７２には、細かい襞が形成されやすい。また、第１シート７１が第２シート７２よりも伸縮性部材７３から離れ、かつ第１溶着部７８のピッチが比較的長いため、第２シート７２の細かい襞に沿いにくく、第１シート７１には、比較的大きい襞が第２シート７２から厚み方向に膨らむように形成される。第１シート７１と第２シート７２の間に空間Ｓが形成され、複合シート７０のクッション性が高まり、肌触りを向上できる。なお、本実施の形態では、前ウエストベルト２０に配置された第１複合シート７０Ａにおいて、第１溶着部７８のピッチＰ７８は、第２溶着部７９のピッチＰ７９よりも長い。
【００５４】
また、図６及び図７に示すように、第１溶着部７８のピッチＰ７８は、第２溶着部７９のピッチＰ７９よりも短くてよい。第２シート７２は、第１シート７１と伸縮性部材７３によって挟まれているため、第１シート７１の小さい襞に追従し易くなる。第２シート７２には、第２溶着部７９による大きな襞のみならず、第１溶着部７８による小さい襞に追従する襞が形成され易い。その結果、複合シート７０の襞が均一になりやすく、襞が局所的に肌にあたることを抑制し、肌触りを向上できる。また、第１溶着部７８のピッチＰ７８が短いため、第１溶着部７８間の領域が多くなる。第１溶着部７８間の領域は、剛性が低い部分となる。一方、第２溶着部のピッチが長く、第２溶着部間の領域が少ない。第１シートは、第２シートと比較して、剛性が低い領域が多く、全体として剛性が低くなる。剛性が比較的低い第１シート７１が第２シート７２に沿い易く、複合シートの襞が均一になり易い。なお、本実施の形態では、後ウエストベルト３０に配置された第２複合シート７０Ｂにおいて、第１溶着部７８のピッチＰ７８は、第２溶着部７９のピッチＰ７９よりも短い。
【００５５】
（４）複合シートを有する吸収性物品の構成
次いで、上述の複合シート７０を有する吸収性物品１０の構成について説明する。複合シート７０はクッション性を有しており、特に肌触りを向上させたい領域に配置することが好ましい。複合シート７０は、前ウエストベルト２０の肌面側の表面及び後ウエストベルト３０の肌面側の表面に配置されている。前ウエストベルト２０の肌面側の表面には、前カバーシート２７が配置され、後ウエストベルト３０の肌面側の表面には、後カバーシート３７が配置されている。ウエストベルトの肌に触れる面に襞が形成され、腰周りに対する肌触りを向上できる。変形例として、着用者の脚回りに沿って配置されるレッグフラップに複合シート７０が配置されていてもよい。変形例によれば、着用者の脚回りに対する肌触りを向上できる。
【００５６】
複合シート７０における伸縮性部材の伸縮方向Ｄ１は、幅方向Ｗに沿っており、第１溶着部７８及び第２溶着部７９のそれぞれは、幅方向Ｗにおいて間隔を空けて複数配置されている。よって、複合シート７０には、前後方向Ｌに延びる襞が形成される。ウエストベルト１５の襞によってウエストベルト１５の前後方向Ｌのたくれを抑制できる。たくれによって肌への当たりが局所的に高くなることを抑制し、肌触りを向上できる。
【００５７】
前ウエストベルト２０に配置された複合シート７０と後ウエストベルト３０に配置された複合シート７０のうち一方の複合シートは、第１溶着部７８のピッチＰ７８が第２溶着部７９のピッチよりも長く、前ウエストベルト２０に配置された複合シート及び後ウエストベルト３０に配置された複合シートのうち他方の複合シートは、第１溶着部７８のピッチＰ７８が第２溶着部７９のピッチＰ７９よりも短くてよい。本実施の形態では、前ウエストベルト２０に配置された複合シートは、第１溶着部７８のピッチＰ７８が第２溶着部７９のピッチよりも長く、後ウエストベルト３０に配置された複合シートは、第１溶着部７８のピッチＰ７８が第２溶着部７９のピッチＰ７９よりも短い。このような構成によれば、前ウエストベルト２０における襞と後ウエストベルト３０の襞とを異ならせ、腹部及び背部のそれぞれに対して適切にウエストベルト１５を当てて、肌触りを向上できる。
【００５８】
第１複合シート７０Ａは、第１溶着部７８のピッチＰ７８が第２溶着部７９のピッチＰ７９よりも長く構成されている。第１複合シート７０Ａは、前ウエストベルト２０に配置されてよい。一般的に、腹部は、背部よりも皮膚が柔らかく、襞による跡が付きやすい。しかし、第１複合シート７０Ａのクッション性が高いため、肌への当たりを和らげ、襞による跡が付くことを抑制できる。
【００５９】
第１複合シート７０Ａの伸縮性部材７３は、シート状であってよい。本実施の形態の第１複合シート７０Ａの伸縮性部材７３は、外装伸縮シート２８である。シート状の伸縮性部材７３によって第１シート７１及び第２シート７２を面で収縮させることができる。よって、第２溶着部７９による襞と第１溶着部７８による襞がそれぞれ形成されやすくなり、第２シート７２に対して第１シート７１が浮き上がりやすくなり、クッション性がより高くなり易い。
【００６０】
また、第２複合シート７０Ｂは、第１溶着部７８のピッチＰ７８が第２溶着部７９のピッチＰ７９よりも短く構成されている。第２複合シート７０Ｂは、後ウエストベルト３０に配置されてよい。背部は、寝た姿勢等において体圧を受けやすい。第２複合シートの襞が均一になりやすいため、体圧を受けた際に均一な襞によって力を分散するとともに、襞が局所的に肌にあたることを抑制し、肌触りを向上できる。
【００６１】
第２複合シート７０Ｂの伸縮性部材７３は、糸状であって、幅方向Ｗに間隔を空けて複数配置されてよい。本実施の形態の第２複合シート７０Ｂの伸縮性部材７３は、後側糸ゴム３８であり、幅方向Ｗに間隔を空けて複数配置されている。糸状の伸縮性部材によって第１シート及び第２シートを点で収縮させることができる。第１シートと第２シートが共に局所的に収縮することで複合シートの襞がより均一になりやすい。
【００６２】
（５）複合シートの製造方法
次いで、このように構成された複合シートの製造方法について説明する。複合シートの製造方法は、第１シート溶着工程と、第２シート溶着工程と、積層工程と、を有する。第１シート溶着工程は、第１シート７１に搬送方向に間隔を空けて第１溶着部を形成する。なお、第１シート溶着工程は、第１シート７１が搬送方向に連続する第１シート連続体に第１溶着部を形成してよい。
【００６３】
第２シート溶着工程は、搬送方向に間隔を空けて第２シートに第２溶着部を形成する。このとき、第２シート溶着工程は、第１溶着部の前記搬送方向のピッチと異なる前記搬送方向のピッチで前記第２溶着部を形成する。なお、第２シート溶着工程は、第２シート７２が搬送方向に連続する第２シート連続体に第２溶着部を形成してよい。
【００６４】
積層工程は、第１シート溶着工程及び第２シート溶着工程の後に行われる。積層工程は、搬送方向に伸長させた伸縮性部材７３と第１シートとの間に第２シートに配置する。積層工程は、接着剤等の接着手段によって、第１シート７１、第２シート７２及び伸縮性部材７３を互いに接合する。
【００６５】
このような複合シートの製造方法によれば、第１シートの第１溶着部と、第２シートの第２溶着部と、をそれぞれ形成した後に、第１シート、第２シート及び伸縮性部材を積層しているため、第１溶着部７８のピッチと第２溶着部７９のピッチＰ７９を異ならせることができる。第１溶着部のピッチと第２溶着部のピッチが異なるため、第１溶着部が第２溶着部が収縮方向にずれて配置される。そのため、第１溶着部と第２溶着部が全て重なっている形態と比較して、肌触りが向上された複合シートを得ることができる。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６７】
襞を有する複合シートにおいて肌触りをより向上させることができる。
【符号の説明】
【００６８】
１０      ：吸収性物品
２０      ：前ウエストベルト
２５      ：前第１外装シート（第２シート）
２６      ：前第２外装シート
２７      ：前カバーシート（第１シート）
２８      ：外装伸縮シート（伸縮性部材）
３０      ：後ウエストベルト
３５      ：後第１外装シート（第２シート）
３６      ：後第２外装シート
３７      ：後カバーシート
３８      ：後側糸ゴム（伸縮性部材）
３９      ：後第３外装シート（第１シート）
４０      ：吸収性本体
４１      ：液不透過シート
４２Ａ    ：肌面シート
４２Ｂ    ：本体シート
５０      ：吸収コア
６０      ：サイド接合部
７０      ：複合シート
７１      ：第１シート
７２      ：第２シート
７３      ：伸縮性部材
Ｄ１      ：伸縮方向
Ｓ１      ：前胴回り域
Ｓ２      ：後胴回り域
Ｓ３      ：股下域
Ｌ        ：前後方向
Ｔ        ：厚み方向
Ｔ１      ：肌面側
Ｔ２      ：非肌面側
Ｗ        ：幅方向
【図１】
2020108422.tif 000003
【図２】
2020108422.tif 000004
【図３】
2020108422.tif 000005
【図４】
2020108422.tif 000006
【図５】
2020108422.tif 000007
【図６】
2020108422.tif 000008
【図７】
2020108422.tif 000009